(57)【要約】【課題】角度により視覚認識が異なる液晶表示装置及びこれの製造方法を提供する。【解決手段】外部光を反射させる反射電極（２０４）を観測地点により光の反射率が互いに異なる構造によって特定観測地点ではディスプレーされた映像を認識することができないようにし、他の観測地点では映像を認識できるようにして、１つの液晶表示装置から互いに異なる２つの視野角でディスプレーを遂行可能なようにする。【選択図】図５
2004537753.tif 000002
【特許請求の範囲】
【請求項１】
（ｉ）マトリックス状に配置された薄膜トランジスターと、
（ii）前記薄膜トランジスターの各出力端を露出させるコンタクトホール及び視野角を観測地点により変更させるために、前記観測地点によって形状が異なる視野角変更用突起を有し、前記薄膜トランジスターを絶縁させる有機絶縁膜と、
（iii）一部は、各前記出力端と連結されて第１電力が印加され、他の部分は視野角変更
用突起を被覆して前記観測地点によって異なる光反射率を有するようにマトリックス状に配置されるよう、前記有機絶縁膜の上に形成された第１電極と、
を含む第１基板と；
前記第１電極と対向するようにカラーフィルター及びカラーフィルターを被覆する第２電極が形成された第２基板と；
前記第１基板及び第２基板の間に注入された液晶と；を含むことを特徴とする液晶表示装置。
【請求項２】
前記第１電極のうち、前記視野角変更用突起により突出された部分の一部には、前記観測地点によって異なる光反射率を有するように開口部が形成されたことを特徴とする請求項１記載の液晶表示装置。
【請求項３】
前記有機絶縁膜のうち、前記第１電極相互間には、視野角変更部をさらに含むことを特徴とする請求項１記載の液晶表示装置。
【請求項４】
前記視野角変更部は、曲面部が前記第２基板に向かうように配置された半円柱形状を有することを特徴とする請求項３記載の液晶表示装置。
【請求項５】
前記半円柱形状は、非対称の形状を有することを特徴とする請求項４記載の液晶表示装置。
【請求項６】
前記視野角変更部の両側に位置した前記第１電極の一部は、観測地点によって異なる光反射率を有するように、前記視野角変更部の曲面部まで延長されたことを特徴とする請求項５記載の液晶表示装置。
【請求項７】
前記視野角変更部は、対称形状を有し、前記視野角変更部の両側に位置した前記第１電極の一部は、観測地点によって異なる光反射率を有するように、非対称的に前記視野角変更部にまで延長されたことを特徴とする請求項４記載の液晶表示装置。
【請求項８】
（ｉ）マトリックス状に配置された薄膜トランジスターと、
（ii）前記薄膜トランジスターの各出力端を露出させるコンタクトホール及び視野角を観測地点によって変更させるために、前記観測地点によって形状が異なる視野角変更用突起を有し、前記薄膜トランジスターを絶縁させる有機絶縁膜と、
（iii）一部は、前記出力端と連結されて第１電力が印加され、他の部分は視野角変更用
突起を被覆する透明電極と、前記透明電極より電力の供給を受け、一部領域は第１光を透過させるように開口とされ、他の領域は前記視野角変更用突起を被覆している透明電極を被覆して、第１光と異なる方向を有する第２光の光反射率を前記観測地点に応じて変更させる反射電極とを有する第１電極と、
を含む第１基板と；
前記第１電極と対向するカラーフィルター及び前記カラーフィルターを被覆するように第２電極を含む第２基板と；
前記第１基板及び第２基板の間に注入された液晶と；を含むことを特徴とする液晶表示装置。
【請求項９】
前記反射電極のうち、前記視野角変更用突起により突出された部分の一部には、前記観測地点によって異なる光反射率を有するように開口部が形成されたことを特徴とする請求項８記載の液晶表示装置。
【請求項１０】
前記有機絶縁膜は、前記反射電極相互間における曲面部が、前記第２基板に向かうように配置された半円柱形状に突出された視野角変更部をさらに含むことを特徴とする請求項８記載の液晶表示装置。
【請求項１１】
前記半円柱形状は、非対称の形状を有することを特徴とする請求項１０記載の液晶表示装置。
【請求項１２】
前記視野角変更部の両側に位置した前記反射電極の一部は、観測地点によって異なる光反射率を有するように、前記視野角変更部の曲面部まで延長されたことを特徴とする請求項１１記載の液晶表示装置。
【請求項１３】
前記視野角変更部は、対称形状を有し、前記視野角変更部の両側に位置した前記反射電極の一部は、観測地点によって異なる光反射率を有するように、非対称的に前記視野角変更部にまで延長されたことを特徴とする請求項１０記載の液晶表示装置。
【請求項１４】
（ｉ）マトリックス状に配置された薄膜トランジスターを形成する段階と、
（ii）前記薄膜トランジスターの各出力端を露出するコンタクトホール及び視野角を観測地点によって変更させるために、前記観測地点によって形状が異なる視野角変更用突起を有し、前記薄膜トランジスターを絶縁させる有機絶縁膜を形成する段階と、
（iii）一部は、前記出力端と連結され第１電力が印加され、他の部分は視野角変更用突
起を被覆して前記観測地点によって異なる光反射率を有するようにマトリックス状に配置された第１電極を形成する段階と、
により第１基板を製造する段階と；
前記第１電極と対向するようにカラーフィルター及び第２電極を形成して第２基板を製造する段階と；
前記第１基板及び第２基板の間に液晶を注入する段階と；を含むことを特徴とする液晶表示装置の製造方法。
【請求項１５】
（ｉ）マトリックス状に配置された薄膜トランジスターを製造する段階と、
（ii）前記薄膜トランジスターの各出力端を露出するコンタクトホール及び視野角を、観測地点によって変更させるために、前記観測地点によって形状が異なる視野角変更用突起を有し、前記薄膜トランジスターを絶縁させる有機絶縁膜を形成する段階と、
（iii）一部は前記出力端と連結されて第１電力が印加され、他の部分は視野角変更用突起を被覆する透明電極と、前記透明電極より電力の供給を受け、一部領域は第１光を透過させるように開口とされ、他の領域は前記視野角変更用突起を被覆している透明電極を被覆して第１光と異なる方向を有する第２光の光反射率を前記観測地点に応じて変更させる反射電極とを含む第１電極を形成する段階と、
により第１基板を製造する段階と；
前記第１電極と対向するようにカラーフィルター及び第２電極を形成して第２基板を製造する段階と；
前記第１基板及び第２基板の間に液晶を注入する段階と；を含むことを特徴とする液晶表示装置の製造方法。
【発明の詳細な説明】
【技術分野】
【０００１】
本発明は液晶表示装置及びこれの製造方法に関し、より詳細には互いに異なる少なくとも２つの視野角で映像をディスプレーできるようにした液晶表示装置及びこれの製造方法に関する。
【背景技術】
【０００２】
最近、電子産業の技術開発により膨大なデータをより迅速に処理することができる情報処理装置の技術開発も急速に進行している。
【０００３】
情報処理装置は非常に早い演算によって使用者が入力したデータを処理した結果のデータを発生させる。
【０００４】
しかし、このような情報処理装置の有用性にも関わらず、使用者は情報処理装置だけでは情報処理装置で発生した結果のデータを判読及び認識することができない短所を有する。
【０００５】
これは情報処理装置で演算されて処理された結果のデータが電気的信号の形態で処理、保存されるからである。このような理由からいかなる情報処理装置でも結果のデータを使用者が認識することができるようにするためには媒介体の役割をするディスプレー装置を必要とする。
【０００６】
このような役割をするディスプレー装置としては、ＣＴＲ方式ディスプレー装置及び液晶表示装置が代表的である。
【０００７】
ＣＴＲ方式ディスプレー装置は電子銃から発生された電子の位置を精密に制御して蛍光物質及び色画素が分布されたスクリーン走査をすることによって所望の映像をディスプレーする。
【０００８】
液晶表示装置は液晶によって光透過度を変化させられた光がカラーフィルターを通過するようにして映像をディスプレーする。
【０００９】
液晶表示装置はＣＴＲ方式ディスプレー装置と同等のディスプレー品質が具現できるだけではなく、厚さが数μｍに過ぎない液晶層でもディスプレーが可能であるので、同一のスクリーンサイズを有するＣＴＲ方式ディスプレー装置に比べて嵩が小さく重さが軽い長所を有する。
【００１０】
このような長所を有する液晶表示装置は液晶自らで光を生成することができないのでディスプレーを実施するためには他の光源を必要とする。
【００１１】
このような理由から、液晶表示装置は光を利用する方法によって反射型液晶表示装置、透過型液晶表示装置及び反射−透過型液晶表示装置に区分される。
【００１２】
反射型液晶表示装置は外部で発生した外部光、例えば、太陽光、室内照明灯、室外照明灯を利用するディスプレーを実施する。
【００１３】
透過型液晶表示装置は充電された電気エネルギーを消費して発生した光を利用してディスプレーを実施する。
【００１４】
このとき、反射型液晶表示装置は光を生成するために電気エネルギーを消費する必要がなくて消費電力が非常に低い長所及び光が存在するところのみで情報のディスプレーが可能であるので、光が存在しないか光量が不足しているところではディスプレーが遂行できない短所を有する。
【００１５】
透過型液晶表示装置は電気エネルギーを消費して発生した光を用いるので外部光の存在有無に関係なしに良質のディスプレーを遂行することができる長所を有し、電気エネルギーを消費して光を生成しなければならないので反射型液晶表示装置に比べて消費電力が大きい短所を有する。
【００１６】
反射−透過型液晶表示装置は反射型液晶表示装置の長所及び透過型液晶表示装置の長所を同時に有する。
【００１７】
即ち、暗いところでは電気的エネルギーを消費して発生した光を利用してディスプレーを遂行し、光量が豊富なところでは外部光を利用してディスプレーを遂行することによって最少の消費電力でディスプレー可能なようにする。
【００１８】
しかし、このような液晶表示装置のうち、特に反射型液晶表示装置及び反射−透過型液晶表示装置は製作過程で視野角が固定された状態で製作されて使用者の多様な要求を十分に満足させるこができないという問題点を有する。
【発明の開示】
【発明が解決しようとする課題】
【００１９】
従って、本発明はこのような従来の問題点を勘案したものとして、本発明の第１目的は観測地点次第で互いに異なる視野角で映像をディスプレーすることができる液晶表示装置を提供することにある。
【００２０】
本発明の第２目的は観測地点次第で互いに異なる視野角で映像をディスプレーすることができる液晶表示装置の製造方法を提供することにある。
【課題を解決するための手段】
【００２１】
このような本発明の第１目的を具現するために、本発明はマトリックス状で配置された薄膜トランジスター、各薄膜トランジスターの出力端が開口されるように形成されたコンタクトホール及び視野角を観測地点によって変更させるために観測地点により形状が異なる視野角変更用突起を有する有機絶縁膜、一部は各出力端と連結されて第１電力が印加され、残りの部分は視野角変更用突起を被覆して観測地点によって異なる光反射率を有するようにマトリックス状に配置された第１電極を含む第１基板、第１電極と対向するようにカラーフィルター及びカラーフィルターを被覆する第２電極が形成された第２基板、第１基板及び第２基板の間に液晶層を含む液晶表示装置を提供することにある。
【００２２】
また、本発明の第２目的を具現するために本発明はマトリックス状で配置された薄膜トランジスターを形成する段階と、薄膜トランジスターの出力端が開口されるように形成されたコンタクトホール及び視野角を観測地点によって変更させるために観測地点により形状が異なる視野角変更用突起を有する有機絶縁膜を形成する段階と、一部は各出力端と連結されて第１電力が印加され、残りの部分は視野角変更用突起を被覆して観測地点により異なる光反射率を有するようにマトリックス状で配置された第１電極を形成して第１基板を製造する段階と、第１電極と対向するようにカラーフィルター及び第２電極を形成して第２基板を製造する段階、接合された第１基板と第２基板との間に液晶を注入する段階と、を含む液晶表示装置の製造方法を提供することにある。
【００２３】
本発明によると、少なくとも２つの観測地点で互いに異なる視野角で映像をディスプレーするようにして使用者が必要に応じて互いに異なる視野角で映像を認識するできるようにする効果を有する。
【発明を実施するための最良の形態】
【００２４】
以下、図面を参照して本発明の望ましい一実施例をより詳細に説明する。
【００２５】
図１は本発明の一実施例による液晶表示装置の概念図である。
【００２６】
図１に図示された液晶表示装置は外部光を用いてディスプレーを遂行することによって消費電力を節減する反射型液晶表示装置である。
【００２７】
図１を参照すると、反射型液晶表示装置２００はカラーフィルター基板２１０、液晶２２０及びＴＦＴ基板２３０で構成されている。
【００２８】
ＴＦＴ基板２３０及びカラーフィルター基板２１０は互いに向き合うように組み合わされ、ＴＦＴ基板２３０及びカラーフィルター基板２１０の間には液晶２２０が注入されている。
【００２９】
図２は図１のＴＦＴ基板の一部を切開した部分断面斜視図である。
【００３０】
図２を参照すると、ＴＦＴ基板２３０は透明基板２０１に形成された薄膜トランジスター２０２、有機絶縁膜２０５、第１電極２０４で構成される。
【００３１】
薄膜トランジスター２０２は要求される解像度に対応する数で透明基板２０１の一側面にマトリックス状で形成される。
【００３２】
薄膜トランジスター２０２は図１に図示された液晶２２０に所定の電力が印加されるように電力を供給する役割をする。
【００３３】
マトリックス状に配列された薄膜トランジスター２０２の各々はゲート電極２０２ａ、ゲート電極２０２ａと絶縁されたチャンネル層２０２ｂ、チャンネル層２０２ｂの一側に連結されたソース電極２０２ｃ及びチャンネル層２０２ｃの他側に連結されたドレーン電極２０２ｄで構成される。
【００３４】
このような構成を有する薄膜トランジスター２０２はソース電極２０２ｃに電源電圧が印加された状態でゲート電極２０２ａにしいき値以上の電圧が印加される場合、ソース電極２０２ｃに印加された電圧がチャンネル層２０２ｂを経てドレーン電極２０２ｄに出力される。
【００３５】
有機絶縁膜２０５は透明基板２０１に薄膜トランジスター２０２が形成された状態で薄膜トランジスター２０２の上面に形成される。
【００３６】
有機絶縁膜２０５は薄膜トランジスター２０２のドレーン電極２０２ｄを除いた残りの部分を後述される第１電極２０４に対して絶縁させる役割及び視野角が観測地点に応じ変更されるようにする役割を遂行する。
【００３７】
これを具現するために、有機絶縁膜２０５にはドレーン電極２０２ｄが外部に対して露出されるようにコンタクトホールが形成される。
【００３８】
図３Ａは図２のＡ部分拡大図である。
【００３９】
図３Ａを参照すると、視野角変更用突起２０５ａは視野角が観測地点に応じて変更されるようにするために有機絶縁膜２０５に少なくとも１つが形成される。
【００４０】
それぞれの視野角変更用突起２０５ａは全部同一の形状を有し、それぞれの視野角変更用突起２０５ａは略半球状で有機絶縁膜２０５から突出される。このとき、視野角変更用突起２０５ａは互いに異なる少なくとも２つの方向で互いに異なる接線傾きを有する。
【００４１】
図３Ａを参照すると、視野角変更用突起２０５のいずれか一方の傾きを第１傾きａと称し、他の方の傾きを第２傾きｂと称する。
【００４２】
第１電極２０４は視野角変更用突起２０５ａが形成された有機絶縁膜２０５の上面に形成される。
【００４３】
望ましい一実施例として、第１電極２０４はメタル薄膜をパターニングして形成されるが、第１電極２０４は各薄膜トランジスター２０２毎に１つずつ形成される。
【００４４】
第１電極２０４は視野角変更用突起２０５ａによって視野角変更用突起２０５ａと同じ形状のプロファイルを有する。
【００４５】
図３Ｂは本発明による第１電極において視野角変更用突起に当る部分で反射された光の経路を図示した断面図である。
【００４６】
図３Ｂを参照すると、第１電極２０４は視野角変更用突起２０５ａと同様に互いに異なる方向において互いに異なる傾きを有することで、観測位置によって互いに異なる光反射率及び光反射方向を有する。
【００４７】
具体的に、観測地点Ｃに使用者の目が位置する場合、第１電極２０４のうち水平に対してａの傾きを有する部分で光が第１電極２０４から観測地点Ｃに位置した使用者の目に向かう方向に反射される。
【００４８】
一方、観測地点Ｄに使用者の目が位置する場合、第１電極２０４のうち水平に対してｂの傾きを有する部分では光が第１電極２０４から観測地点Ｄに位置した使用者の目には向かわない方向に反射される。
【００４９】
即ち、使用者観測地点Cでは第１電極２０４から反射された光によって発生された映像を明らかに認識することができるが、観測地点Dでは第１電極２０４から反射された光によって発生された映像を認識することができなくなる。
【００５０】
これは観測地点によって視野角が互いに異なるように作用することを意味する。
【００５１】
図４Ａは本発明の一実施例による第１電極の他の例を図示した断面図である。図４Ｂは本発明の他の実施例による開口が形成された第１電極によって観測地点次第で視野角が変更されるのを図示した断面図である。
【００５２】
図４Ａを参照すると、第１電極２０４には観測地点による光反射率変化をより大きくするために開口部２０４ａが形成される。開口部２０４ａは第１電極２０４の一部を除去することで具現される。
【００５３】
このとき、開口部２０４ａは視野角変更用突起２０５ａの中央を基準にして一側に偏らせた位置に形成される。
【００５４】
図４Ｂを参照すると、第１電極２０４のうち開口部２０４ａによって変更用突起２０５ａが露出された部分は開口部２０４ａが形成されていない部分に比べて著しく低い光反射率を有する。従って、観測地点Ｃと観測地点Ｄでの視野角は互いに異なる。
【００５５】
図５は本発明の一実施例を図示したＴＦＴ基板の断面図である。
【００５６】
図５のＴＦＴ基板２００は有機絶縁膜２０５の形状に差があることを除き残り部分は図２と同じなので有機絶縁膜２０５以外の部分に対しては重複される説明は省略することにする。
【００５７】
図５を参照すると、有機絶縁膜２０５の上面にはコンタクトホール及び視野角変更部２０５ｂが形成される。
【００５８】
視野角変更部２０５ｂは相互短絡されないように離隔された第１電極２０４ａ、２０４ｂの間の空間Ｗに形成される。
【００５９】
望ましい一実施例として、視野角変更部２０５ｂは略半円柱形状を有する。このとき、視野角変更部２０５ｂの曲面部はカラーフィルター基板に向かうように配置される。
【００６０】
このとき、視野角変更部２０５ｂは観測地点により異なる視野角を有するようにするために観測地点に対して非対称形状を有する。
【００６１】
図５を参照すると、視野角変更部２０５ｂは視野角変更部２０５ｂの中心０を基準にして視野角変更部２０５ｂの両側において互いに異なる形状を有する。視野角変更部２０５ｂは観測地点Cに光を反射させるための接線傾きａを有し、観測地点Ｄには光を反射させない結果となる接線傾きｂを有する。
【００６２】
このような構成を有する視野角変更部２０５ｂには視野角変更部２０５ｂの両側に位置した２つの第１電極の一部が該変更部２０５ｂとオーバーラップされる。視野角変更部２０５ｂの両側に位置した２つの第１電極にそれぞれ符号２０４ａ及び２０４ｂを付与してある。
【００６３】
このとき、第１電極２０４ａ、２０４ｂのうち視野角変更部２０５ｂとオーバーラップした部分は視野角変更部２０５ｂの形状によって互いに異なる傾きを有する。
【００６４】
従って、第１電極２０４ａ、２０４ｂのうち視野角変更部２０５ｂの上面に位置した部分では視野角変更部２０５ｂの傾き次第で光の反射経路が違ってくる。
【００６５】
例えば、外部光は符号２０４ａで図示された第１電極のうち視野角変更部２０５ｂの上部に位置した部分で反射された後観測地点Ｃに反射されることによって、観測地点Ｃでは使用者が映像を明らかに認識することができる。
【００６６】
反面、外部光は符号２０４ｂで図示された第１電極のうち視野角変更部２０５ｂの上部に位置した部分で反射された後は、観測地点Ｄに反射されないので、観測地点Dでは使用者が映像を明らかに認識することができなくなる。
【００６７】
図６は本発明の他の実施例による視野角変更部を図示した断面図である。
【００６８】
図６のＴＦＴ基板は有機絶縁膜２０５の形状に差があることを除き残りの部分は図２と同じであるので有機絶縁膜２０５以外の部分に対しては重複された説明を省略することにする。
【００６９】
図６を参照すると、有機絶縁膜２０５の上面にはコンタクトホール及び視野角変更部２０５Ｃが形成される。
【００７０】
図６の視野角変更部２０５Ｃは半円柱形状を有し、図５に図示された視野角変更部２０５ｂと違って左右対称になるように形成される。このとき、視野角変更部２０５ｂの曲面部はカラーフィルター基板に向かうように配置される。
【００７１】
視野角変更部２０５Cには符号２０４ａ及び２０４ｂで図示された第１電極の一部がオーバーラップされる。
【００７２】
このとき、視野角変更部２０５Ｃに位置した第１電極２０４ａ、２０４ｂは対称形状を有する視野角変更部２０４ｂに対して非対称形状で形成される。
【００７３】
図６を参照すると、符号２０４ａで図示された第１電極のうち視野角変更部２０５Ｃとオーバーラップした部分の長さは符号２０４ｂで図示された第１電極のうち視野角変更部２０５Ｃとオーバーラップした部分の長さより長い。
【００７４】
このように、２つの第１電極２０４ａ、２０４ｂで視野角変更部２０５Ｃとオーバーラップした長さの差異が発生した場合、第１電極２０４ａ、２０４ｂから反射された光の方向及び光反射率は同一ではなくなる。
【００７５】
具体的に、符号２０４ｂで図示された第１電極のうち視野角変更部２０５Ｃとオーバーラップしたところから反射された光は観測地点Ｃに位置した使用者の目に入射される。
【００７６】
しかし、符号２０４ａで図示された第１電極のうち視野角変更部２０５Ｃとオーバーラップしたところから反射された光は観測地点Ｄに位置した使用者の目には入射されないか入射される光量が非常に少ない。
【００７７】
即ち、対称形状を有する視野角変更部２０５Ｃに第１電極を非対称形状で形成する場合にも使用者が観測地点次第で映像を認識できたりまたは認識できなくなったりするようにすることができる。
【００７８】
このような観測地点により使用者が画像を認識または認識できないようにする場合、使用者はこれを多様な目的、例えば、画面の秘密保持などに使用し得る。
【００７９】
図７は本発明の第２実施例による反射−透過型液晶表示装置の概念図である。
【００８０】
図７を参照すると、反射−透過型液晶表示装置３００は、これも同様にカラーフィルター基板３３０、液晶３２０及びＴＦＴ基板３１０で構成される。
【００８１】
カラーフィルター基板３３０及びＴＦＴ基板３１０はそれぞれ製造された後接合され、接合されたカラーフィルター基板３３０及びＴＦＴ基板３１０の間には液晶３２０が注入される。
【００８２】
図８は図７の反射−透過型液晶表示装置のうちＴＦＴ基板を切断した部分断面斜視図である。
【００８３】
図８を参照すると、ＴＦＴ基板３１０は透明基板３０１に形成された薄膜トランジスター３０２、有機絶縁膜３４０、第１電極３３７で構成される。
【００８４】
薄膜トランジスター３０２は要求される解像度に対応する数で透明基板３０１の上面にマトリックス状で形成される。この薄膜トランジスター３０２は図７に図示された液晶３２０に所定の電圧が印加されるようにする役割をする。
【００８５】
マトリックス状に配列された薄膜トランジスター３０２の各々はゲート電極３２２、ゲート電極３２２と絶縁されたチャンネル層３２４、チャンネル層３２４の一側に連結されたソース電極３２６及びチャンネル層３２４の他側に連結されたドレーン電極３２８で構成される。
【００８６】
このような構成を有する薄膜トランジスター３０２はソース電極３２６に電圧が印加された状態でゲート電極３２２にしいき値以上の電圧が印加される場合、ソース電極３２６に印加された電圧がチャンネル層３２４を経てドレーン電極３２８に出力されるようにする。
【００８７】
透明基板３０１に薄膜トランジスター３０２が形成された状態で薄膜トランジスター３０２の上面には有機絶縁膜が形成される。
【００８８】
有機絶縁膜３４０は薄膜トランジスター３０２のドレーン電極３２８を除いた残りの部分を第１電極３３７と絶縁させると同時に視野角が観測地点に応じ変更されるようにする役割を行う。
【００８９】
これを具現するために、有機絶縁膜３４０にはドレーン電極３２８が外部に露出されるようにするコンタクトホール及び視野角変更用突起３４２が形成される。
【００９０】
図９Ａは本発明の望ましい一実施例による視野角変更用突起の断面図である。
【００９１】
視野角変更用突起３４２は互いに異なる少なくとも２つの観測地点に応じて視野角が互いに異なるように有機絶縁膜３４０に形成される。
【００９２】
各視野角変更用突起３４２は少なくとも２つの方向に対して互いに異なる形状を有する。例えば、視野角変更用突起３４２は望ましい一実施例として略半球形状で突出され、視野角変更用突起３４２の中央を基準にして互いに異なる接線傾きを有する。
【００９３】
図９Ａを参照すると、視野角突起３４２のいずれか一方の傾きを第１傾きａと称し、片方の傾きを第２傾きｂと称する。
【００９４】
図９Ｂは本発明の上記実施例による視野角変更部の断面図である。
【００９５】
図９Ｂを参照すると、有機絶縁膜３４０には突起３４２のみでなく視野角変更部３４６がさらに形成されることができる。視野角変更部３４６は有機絶縁膜３４０のうち詳細に後述される第１電極３３７の間に形成された空間Ｗに形成される。
【００９６】
望ましい一実施例として、視野角変更部３４６は略半円柱形状を有する。このとき、視野角変更部３４６の曲面部はカラーフィルター基板に向かうように配置される。
【００９７】
このとき、視野角変更部３４６は観測地点により互いに異なる視野角を有するようにするために視野角変更部３４６の中央０を中心に非対称形状を有する。
【００９８】
図９Ｂを参照すると、視野角変更部３４６は望ましい一実施例として視野角変更部３４６の中心０の両側で互いに異なる形状を有する。
【００９９】
一実施例として、視野角変更部３４６は視野角変更部３４６の中心０を基準として両側で接線傾きが互いに異なる。
【０１００】
このような構成を有する視野角変更用突起３４２の上面及び視野角変更部３４６の一部には第１電極３３７が形成される。第１電極３３７は透明電極３３５及び反射電極３３０で構成される。
【０１０１】
透明電極３３５は有機絶縁膜３４０上において視野角変更用突起３４２を覆うようにマトリックス状で形成される。
【０１０２】
望ましい一実施例として、透明電極３３５は透明な導電性薄膜をパターニングして形成される。このとき、透明電極３３５は各薄膜トランジスター３２０に１つずつ形成され、有機絶縁膜３４０の上面に薄膜トランジスター３２０と同じマトリックス状で配列される。
【０１０３】
この透明電極３３５は透明基板３０１の後面から供給された光が通過するようにすることは勿論液晶に電界を加えて液晶の光透過度を変更させる役割も有する。
【０１０４】
反射電極３３０は透明電極３３５を備えているメタル薄膜をパターニングして形成される。透明電極３３５には１つの反射電極３３０が対として形成される。
【０１０５】
反射電極３３０は透明基板３０１の上部から供給された光が反射されて液晶を通過するようにする。ここで、反射電極３３０は光が透過する開口窓３３６を含む。
【０１０６】
このとき、反射電極３３０は図９Ｂに図示されたように非対称である視野角変更部３４６の上面に同一な長さが該変更部３４６とオーバーラップするよう延びるように形成される。
【０１０７】
このとき、視野角３４６の傾きが互いに異なることにより反射電極３３０も視野角変更部３４６の傾きに対応して相互に同一ではない傾きを有する。
【０１０８】
このように、反射電極３３０が視野角変更部３４６に対して同一ではない傾きを有する場合、前記したように観測地点次第で映像がディスプレーされたりディスプレーされなかったりする。
【０１０９】
図９Ｃは本発明の他の実施例による視野角変更部の断面図である。
【０１１０】
図９Ｃを参照すると、視野角変更部３４６は半円柱形状を有するが図９Ｂに図示された視野角変更部３４６と違って左右対称とされる。。このとき、視野角変更部３４７の曲面部はカラーフィルター基板に向かうように配置される。
【０１１１】
このような構成を有する視野角変更用突起３４２の上面及び視野角変更部３４６、３４７の一部には第１電極３３７が形成される。第１電極３３７は透明電極３３５及び反射電極３３０で構成される。
【０１１２】
透明電極３３５は前述した実施例と同一であるため重複された説明は省略することにする。
【０１１３】
反射電極３３０は透明電極３３５を被覆するメタル薄膜をパターニングして形成される。各透明電極３３５には１つの反射電極３３０が対として形成される。
【０１１４】
反射電極３３０は透明基板３０１の上部から供給された光が反射されて液晶を通過するようにする。ここで、反射電極３３０には光が透明基板３０１を通過するように開口窓が形成されるようにする。
【０１１５】
このとき、反射電極３３０は図９Ｃに図示されたように対称形形状を有する視野角変更部３４７に非対称形状で形成される。
【０１１６】
図９Ｄは本発明の一実施例による視野角変更部の作用を説明するための断面図である。
【０１１７】
図９Ｄを参照すると、視野角変更部３４７の両側に位置した反射電極３３０は視野角変更部３４７に対して互いに異なる長さを有することで光反射率を互いに異なるようにさせ、これによって観測地点により映像がディスプレーされたりディスプレーされなかったりするようにしている。
【産業上の利用可能性】
【０１１８】
以上で説明されたように、構造的な特性上変更が不可能な液晶表示装置の視野角を、外部光の反射特性を利用して、又は外部光の反射特性と透過光の特性を利用して一定範囲内で視野角を調節することができる効果を有する。
【０１１９】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１２０】
【図１】本発明の第１実施例による反射型液晶表示装置の概念図である。
【図２】図１のＴＦＴ基板のみの一部を切開した部分断面斜視図である。
【図３Ａ】図２のＡ部分拡大図である。
【図３Ｂ】本発明の一実施例による第１電極のうち視野角変更用突起に当る部分で反射された光の経路を図示した断面図である。
【図４Ａ】本発明の一実施例による第１電極の他の実施例を図示した断面図である。
【図４Ｂ】本発明の一実施例によって開口が形成された第１電極によって観測地点により視野角が変更されることを図示した断面図である。
【図５】本発明の一実施例を図示したＴＦＴ基板の断面図である。
【図６】本発明の他の実施例による視野角変更部を図示した断面図である。
【図７】本発明の第２実施例による反射−透過型液晶表示装置の概念図である。
【図８】図７の反射−透過型液晶表示装置のうちＴＦＴ基板を切断した部分断面斜視図である。
【図９Ａ】本発明の望ましい一実施例による視野角変更用突起の断面図である。
【図９Ｂ】本発明の一実施例による視野角変更部の断面図である。
【図９Ｃ】本発明の他の実施例による視野角変更部の断面図である。
【図９Ｄ】本発明の一実施例による視野角変更部の作用を説明するための断面図である。
【符号の説明】
【０１２１】
２００          反射型液晶表示装置
２０１          透明基板
２０２          薄膜トランジスター
２０２ａ        ゲート電極
２０２ｂ        チャンネル層
２０２ｃ        ソース電極
２０２ｄ        ドレーン電極
２０４          第１電極
２０５          有機絶縁膜
２０５ａ        視野角変更用突起
２１０          カラーフィルター基板
２２０          液晶
２３０          ＴＦＴ基板
３００          反射−透過型液晶表示装置
３１０          ＴＦＴ基板
３２２          ゲート電極
３２４          チャンネル層
３２６          ソース電極
３２８          ドレーン電極
３３０          カラーフィルター基板
【国際公開パンフレット】
2004537753.tif 000003
2004537753.tif 000004
2004537753.tif 000005
2004537753.tif 000006
2004537753.tif 000007
2004537753.tif 000008
2004537753.tif 000009
2004537753.tif 000010
2004537753.tif 000011
2004537753.tif 000012
2004537753.tif 000013
2004537753.tif 000014
2004537753.tif 000015
2004537753.tif 000016
2004537753.tif 000017
2004537753.tif 000018
2004537753.tif 000019
2004537753.tif 000020
2004537753.tif 000021
2004537753.tif 000022
2004537753.tif 000023
2004537753.tif 000024
2004537753.tif 000025
2004537753.tif 000026
2004537753.tif 000027
2004537753.tif 000028
2004537753.tif 000029
2004537753.tif 000030
2004537753.tif 000031
2004537753.tif 000032
2004537753.tif 000033
2004537753.tif 000034
2004537753.tif 000035
2004537753.tif 000036
【国際調査報告】
2004537753.tif 000037
2004537753.tif 000038